(57)【要約】【課題】熱輻射管とドレン部材との自重による湾曲などを簡単に防止することができ、天井面から大幅に下方に位置する部分がない天井輻射システムを提供する。【解決手段】右側／左側熱輻射管２１０，３１０と右側／左側ドレン部材２２０，３２０とが左右対称に傾斜され、中央下方の中央給水部材１２０と中央排水部材１３０とに配管されている。システム中央に中央給水部材１２０と中央排水部材１３０とを集中させているので、その配管などを単純とすることができる。右側／左側熱輻射管２１０，３１０と右側／左側ドレン部材２２０，３２０とが左右に分離されているので、各々の全長を従来の略半分として自重による湾曲などを防止でき、中央カバー部材１１０も従来の半分ほどしか下方に位置させる必要がない。【選択図】図１
2009300051.tif 000002
【特許請求の範囲】
【請求項１】
室内の天井面下に配置されて熱輻射により少なくとも冷房を実行する天井輻射システムであって、
左右方向に細長い形状で冷水が流動される複数の右側熱輻射管と、
左右方向に細長い形状で前記右側熱輻射管から落下する水滴を保持する複数の右側ドレン部材と、
複数の前記右側熱輻射管と複数の前記右側ドレン部材とを右側が上方となる傾斜状態で前後方向に並列に支持する右側支持機構と、
左右方向に細長い形状で少なくとも前記冷水が流動される複数の左側熱輻射管と、
左右方向に細長い形状で前記左側熱輻射管から落下する水滴を保持する複数の左側ドレン部材と、
複数の前記左側熱輻射管と複数の前記左側ドレン部材とを左側が上方となる傾斜状態で前後方向に並列に支持する左側支持機構と、
前後方向に細長いボックス状で複数の前記右側熱輻射管と複数の前記右側ドレン部材との左端が挿入されているとともに複数の前記左側熱輻射管と複数の前記左側ドレン部材との右端とが挿入されている中央カバー部材と、
前記中央カバー部材の内部に配置されていて複数の前記右側熱輻射管と複数の前記左側熱輻射管とに少なくとも前記冷水を流動させる中央給水部材と、
前記中央カバー部材の内部に配置されていて複数の前記右側ドレン部材と複数の前記左側ドレン部材との排水を排出する中央排水部材と、
を有する天井輻射システム。
【請求項２】
複数の前記右側熱輻射管と複数の前記右側ドレン部材と前記右側支持機構とで右側輻射ユニットが形成されており、
複数の前記左側熱輻射管と複数の前記左側ドレン部材と前記左側支持機構とで左側輻射ユニットが形成されており、
前記中央カバー部材と前記中央給水部材と前記中央排水部材とで中央配管ユニットが形成されており、
前記右側輻射ユニットと前記左側輻射ユニットとが前記中央配管ユニットに着脱自在に装着されている請求項１に記載の天井輻射システム。
【請求項３】
前記右側輻射ユニットと前記左側輻射ユニットとが左右対称の同一構造に形成されている請求項２に記載の天井輻射システム。
【請求項４】
前記中央配管ユニットは、複数が長手方向に順次連結される請求項１ないし３の何れか一項に記載の天井輻射システム。
【請求項５】
前記中央排水部材の内部を移動自在な内部清掃部材と、
前記内部清掃部材をスライド移動させて前記中央排水部材の内面を清掃する内部清掃機構とを、
さらに有する請求項１ないし３の何れか一項に記載の天井輻射システム。
【発明の詳細な説明】
【技術分野】
【０００１】
本発明は、天井に設置されて室内を少なくとも冷房する天井輻射システムに関し、特に、輻射により室内を冷房する天井輻射システムに関する。
【背景技術】
【０００２】
現在、主流の冷房システムは、室内または室外から吸引した空気を冷却して室内に供給するが、これは室内の気温が輻射熱量と対応しないため、人体に不自然に感じられる。そこで、室内に配置した熱輻射管に冷水を流動させることで、熱輻射により室内を冷房する冷房システムが開発された。
【０００３】
このような冷房システムとしては、熱輻射管を壁状に配列させ、結露水を受けるドレン部材を下方に配置した壁状輻射システムや、天井面の近傍に熱輻射管を水平に配置した天井輻射システムがある。
【０００４】
しかし、壁状輻射システムは、室内に配置する必要があるので、室内のスペースを消費することになる。また、当然ながら壁状輻射システムとの距離により冷房の効き目が変化するので、室内を均一に冷房することが困難である。
【０００５】
一方、天井輻射システムでは、室内のスペースを消費することはなく、室内を略均一に冷房することが可能である。しかし、天井輻射システムでは、充分に冷却した冷水を熱輻射管に流動させると、結露が発生して水滴が室内に落下することになる。
【０００６】
このため、ある天井輻射システムでは、冷水の温度を結露が発生しない範囲に制御しているが、これでは室内を充分に冷房することができない。また、ある天井輻射システムでは、複数の熱輻射管の下方に一枚の受皿を配置し、この受皿で結露した水滴を受けているが、これでは複数の熱輻射管による冷房効果が受皿で阻害されることになる。
【０００７】
そこで、本発明者は上述のような課題を解決した天井輻射システムを発明して出願した。その天井輻射システムは、複数の熱輻射管、複数の放熱板、複数のドレン部材、等を有する。
【０００８】
複数の熱輻射管は、細長い形状に形成されており、天井面の下方に前後方向と長手方向が略平行で左右方向に所定間隔で並列に配列されている。複数の放熱板は、複数の熱輻射管の各々の外面上の略左右方向の位置から下方に個々に形成されている。複数のドレン部材は、熱輻射管より幅広で上面が開口した細長い樋状に形成されていて熱輻射管の下方に個々に略平行に配置されている。
【０００９】
この天井輻射システムでは、冷水が複数の熱輻射管に流動されると、その熱輻射管と放熱板との熱輻射により室内が冷房される。複数の熱輻射管の各々の両側に放熱板が装着されているので、熱輻射管の熱輻射の性能を放熱板により向上させることができる。
【００１０】
充分に冷却した冷水を流動させると熱輻射管と放熱板との表面に水滴が結露する。しかし、熱輻射管と放熱板との各々の下方にドレン部材が位置しているので、熱輻射管と放熱板とに結露した水滴をドレン部材により確実に回収することができる。
【００１１】
このため、熱輻射管に充分に冷却した冷水を流動させて室内を充分に冷房することができる。しかも、熱輻射管と放熱板とにより冷却された空気をドレン部材の間隙から室内に循環させることができるので、室内を良好な効率で冷房することができる(例えば、特許文献１参照)。
【特許文献１】特開２００６−１１２７４２号公報
【発明の開示】
【発明が解決しようとする課題】
【００１２】
上述した特許文献１の天井輻射システムでは、平行に配列した複数の熱輻射管の各々の一端に冷水を供給し、他端から排水を回収することを想定している。このため、天井輻射システムの両側に冷水の供給機構と回収機構とを形成する必要があり、その配管などが複雑となる。
【００１３】
また、上述の天井輻射システムでは、天井が大面積の場合、熱輻射管とドレン部材とが長大となる。その場合、熱輻射管やドレン部材が自重のために湾曲する恐れがある。これを防止するためには、熱輻射管を肉厚に形成して機械強度を確保したり、熱輻射管を天井面に接続する箇所を多数とすることになる。
【００１４】
さらに、ドレン部材は排水のために傾斜させることが好適である。しかし、長大なドレン部材を傾斜させると、その下側の一端は天井面から大幅に下方に位置することになって好ましくない。
【００１５】
本発明は上述のような課題に鑑みてなされたものであり、熱輻射管とドレン部材との自重による湾曲などを簡単に防止することができ、天井面から大幅に下方に位置する部分がなく、配管が容易な天井輻射システムを提供することを目的とする。
【課題を解決するための手段】
【００１６】
本発明の天井輻射システムは、室内の天井面下に配置されて熱輻射により少なくとも冷房を実行する天井輻射システムであって、左右方向に細長い形状で冷水が流動される複数の右側熱輻射管と、左右方向に細長い形状で右側熱輻射管から落下する水滴を保持する複数の右側ドレン部材と、複数の右側熱輻射管と複数の右側ドレン部材とを右側が上方となる傾斜状態で前後方向に並列に支持する右側支持機構と、左右方向に細長い形状で少なくとも冷水が流動される複数の左側熱輻射管と、左右方向に細長い形状で左側熱輻射管から落下する水滴を保持する複数の左側ドレン部材と、複数の左側熱輻射管と複数の左側ドレン部材とを左側が上方となる傾斜状態で前後方向に並列に支持する左側支持機構と、前後方向に細長いボックス状で複数の右側熱輻射管と複数の右側ドレン部材との左端が挿入されているとともに複数の左側熱輻射管と複数の左側ドレン部材との右端とが挿入されている中央カバー部材と、中央カバー部材の内部に配置されていて複数の右側熱輻射管と複数の左側熱輻射管とに少なくとも冷水を流動させる中央給水部材と、中央カバー部材の内部に配置されていて複数の右側ドレン部材と複数の左側ドレン部材との排水を排出する中央排水部材と、を有する。
【００１７】
従って、本発明の天井輻射システムでは、複数の右側熱輻射管と複数の右側ドレン部材とが右側支持機構により右側が上方となる傾斜状態で前後方向に並列に支持されるとともに、複数の左側熱輻射管と複数の左側ドレン部材とが左側支持機構により左側が上方となる傾斜状態で前後方向に並列に支持される。このように支持された複数の右側熱輻射管と複数の左側熱輻射管とに中央給水部材から冷水が流動されるので、その複数の右側熱輻射管と複数の左側熱輻射管との輻射により周囲が冷房される。このとき、もしも複数の右側熱輻射管と複数の左側熱輻射管との表面に結露が発生して水滴が落下しても、その水滴は複数の右側ドレン部材と複数の左側ドレン部材とで保持される。この複数の右側ドレン部材と複数の左側ドレン部材との排水は中央排水部材により排出される。
【００１８】
また、上述のような天井輻射システムにおいて、複数の右側熱輻射管と複数の右側ドレン部材と右側支持機構とで右側輻射ユニットが形成されており、複数の左側熱輻射管と複数の左側ドレン部材と左側支持機構とで左側輻射ユニットが形成されており、中央カバー部材と中央給水部材と中央排水部材とで中央配管ユニットが形成されており、右側輻射ユニットと左側輻射ユニットとが中央配管ユニットに着脱自在に装着されていてもよい。
【００１９】
また、上述のような天井輻射システムにおいて、右側輻射ユニットと左側輻射ユニットとが左右対称の同一構造に形成されていてもよい。
【００２０】
また、上述のような天井輻射システムにおいて、中央配管ユニットは、複数が長手方向に順次連結されてもよい。
【００２１】
また、上述のような天井輻射システムにおいて、中央排水部材の内部を移動自在な内部清掃部材と、内部清掃部材をスライド移動させて中央排水部材の内面を清掃する内部清掃機構とを、さらに有してもよい。
【００２２】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２３】
また、本発明では前後左右の方向を規定しているが、これは本発明の構成要素の相対関係を簡単に説明するために便宜的に規定したものであり、本発明を実施する場合の製造時や使用時の方向を限定するものではない。
【発明の効果】
【００２４】
本発明の天井輻射システムでは、複数の右側熱輻射管と複数の右側ドレン部材とが右側支持機構により右側が上方となる傾斜状態で前後方向に並列に支持されるとともに、複数の左側熱輻射管と複数の左側ドレン部材とが左側支持機構により左側が上方となる傾斜状態で前後方向に並列に支持される。このように支持された複数の右側熱輻射管と複数の左側熱輻射管とに中央給水部材から冷水が流動されるので、その複数の右側熱輻射管と複数の左側熱輻射管との輻射により周囲を冷房することができる。このとき、もしも複数の右側熱輻射管と複数の左側熱輻射管との表面に結露が発生して水滴が落下しても、その水滴は複数の右側ドレン部材と複数の左側ドレン部材とで保持して中央排水部材により排水することができる。しかも、システム全体を左右対称に形成することができ、その中央に中央給水部材と中央排水部材とを集中させているので、その配管などを単純とすることができる。さらに、熱輻射管とドレン部材とが左右に分離されているので、その各々の全長を従来の略半分とすることができる。このため、熱輻射管とドレン部材との自重による湾曲などを簡単に防止することができ、中央カバー部材も天井面から従来の半分ほどしか下方に位置させる必要がない。
【発明を実施するための最良の形態】
【００２５】
本発明の実施の一形態を図１ないし図６を参照して以下に説明する。本実施の形態の天井輻射システム１０００は、室内の天井面下に配置されて熱輻射により少なくとも冷房を実行する。
【００２６】
このため、本実施の形態の天井輻射システム１０００は、図１ないし図３に示すように、左右方向に細長い形状で冷水が流動される複数の右側熱輻射管２１０と、左右方向に細長い形状で右側熱輻射管２１０から落下する水滴を保持する複数の右側ドレン部材２２０と、複数の右側熱輻射管２１０と複数の右側ドレン部材２２０とを右側が上方となる傾斜状態で前後方向に並列に支持する右側支持機構２３０と、左右方向に細長い形状で少なくとも冷水が流動される複数の左側熱輻射管３１０と、左右方向に細長い形状で左側熱輻射管３１０から落下する水滴を保持する複数の左側ドレン部材３２０と、複数の左側熱輻射管３１０と複数の左側ドレン部材３２０とを左側が上方となる傾斜状態で前後方向に並列に支持する左側支持機構３３０と、前後方向に細長いボックス状で複数の右側熱輻射管２１０と複数の右側ドレン部材２２０との左端が挿入されているとともに複数の左側熱輻射管３１０と複数の左側ドレン部材３２０との右端とが挿入されている中央カバー部材１１０と、中央カバー部材１１０の内部に配置されていて複数の右側熱輻射管２１０と複数の左側熱輻射管３１０とに少なくとも冷水を流動させる中央給水部材１２０と、中央カバー部材１１０の内部に配置されていて複数の右側ドレン部材２２０と複数の左側ドレン部材３２０との排水を排出する中央排水部材１３０と、を有する。
【００２７】
より詳細には、本実施の形態の天井輻射システム１０００では、図４および図５に示すように、複数の右側熱輻射管２１０と複数の右側ドレン部材２２０と右側支持機構とで右側輻射ユニット２００が形成されており、複数の左側熱輻射管３１０と複数の左側ドレン部材３２０と左側支持機構とで左側輻射ユニット３００が形成されている。
【００２８】
そして、中央カバー部材１１０と中央給水部材１２０と中央排水部材１３０とで中央配管ユニット１００が形成されており、右側輻射ユニット２００と左側輻射ユニット３００とが中央配管ユニット１００に着脱自在に装着されている。
【００２９】
右側輻射ユニット２００と左側輻射ユニット３００とは、左右対称の同一構造に形成されている。このため、右側輻射ユニット２００と左側輻射ユニット３００とは、共通部品として形成されている。
【００３０】
右側輻射ユニット２００および左側輻射ユニット３００は、例えば、図２に示すように、六本の右側熱輻射管２１０と六本の左側熱輻射管３１０とを各々有するとともに、六本の右側ドレン部材２２０と六本の左側ドレン部材３２０とを各々有する。
【００３１】
六本の右側熱輻射管２１０と六本の左側熱輻射管３１０とは、一本の金属管をジクザグに屈曲させたような構造に形成されており、第一番目から第六番目まで連続的に連結されている。
【００３２】
六本の右側ドレン部材２２０と六本の左側ドレン部材３２０とは、例えば、上面が開口したアルミニウム製のチャネル材からなり、六本の右側熱輻射管２１０と六本の左側熱輻射管３１０との下方に個々に位置する。
【００３３】
図１に示すように、六本の右側熱輻射管２１０と六本の右側ドレン部材２２０とは、例えば、右側支持機構２３０により一体に連結されており、右側が上方となる傾斜状態で天井面下に支持される。
【００３４】
同様に、六本の左側熱輻射管３１０と六本の左側ドレン部材３２０とは、例えば、左側支持機構３３０により一体に連結されており、左側が上方となる傾斜状態で天井面下に支持される。
【００３５】
中央配管ユニット１００の中央カバー部材１１０は、前後方向に細長形状のボックス状に形成されており、図１に示すように、中央支持機構１４０により天井面下に支持される。
【００３６】
中央カバー部材１１０は、右側輻射ユニット２００が挿入されるスリット状の開口孔が右側部に形成されており、左側輻射ユニット３００が挿入されるスリット状の開口孔が左側部に形成されている。
【００３７】
前述のように右側熱輻射管２１０と左側熱輻射管３１０とは六本が連続的に連結されているので、中央配管ユニット１００の中央給水部材１２０は、例えば、図２および図３に示すように、中央カバー部材１１０の前端と後端とに位置する一対からなり、六本の右側熱輻射管２１０および六本の左側熱輻射管３１０の第一番目と第六番目とに各々連結される。
【００３８】
このため、中央配管ユニット１００の前端と後端とに位置する中央給水部材１２０は、例えば、図１に示すように、正面形状が所定角度のＶ字状で、図２に示すように、平面形状がＴ字状の、異形管からなる。
【００３９】
中央排水部材１３０も、例えば、上面が開口したアルミニウム製のチャネル材からなり、その上面の開口に六本の右側ドレン部材２２０と六本の左側ドレン部材３２０とが上方から対向する。中央排水部材１３０は、図３に示すように、例えば、一端が上方となる傾斜状態とされており、その下側の他端には排水管１３１が連結されている。
【００４０】
さらに、本実施の形態の天井輻射システム１０００は、図６に示すように、冷水を生成する冷水生成機構４００と、生成される冷水を複数の右側熱輻射管２１０および複数の左側熱輻射管３１０に流動させる冷水流動機構であるポンプ装置４１０と、も有する。
【００４１】
右側熱輻射管２１０および左側熱輻射管３１０は、中央給水部材１２０と流水管４１１を経由して室外の地下タンク４１２に連結されており、その流水管４１１にポンプ装置４１０が連結されている。地下タンク４１２は、断熱性が良好な室外の地下に埋設されており、水を貯留している。
【００４２】
冷水生成機構４００は、熱交換機４０１とヒートポンプ４０２からなり、ヒートポンプ４０２には、冷媒(図示せず)を冷却して循環させる冷却管４０３が連通されている。
この冷却管４０３は流水管４１１とともに熱交換機４０１に連通されている。
【００４３】
この熱交換機４０１では、流水管４１１を流動する水が冷却管４０３を流動する冷媒により冷却される。さらに、冷却管４０３は室内の除湿器４３０にも配管されており、この除湿器４３０では、冷却管４０３を流動する冷媒により周囲の空気が除湿される。
【００４４】
また、前述のように中央排水部材１３０の排水管１３１も、室内から室外まで配管されており、室外で排水ポンプ(図示せず)に連結されている。この排水ポンプは、冷水生成機構４００およびポンプ装置４１０と連動して駆動される。
【００４５】
上述のような構成において、本実施の形態の天井輻射システム１０００では、図６に示すように、地下タンク４１２に貯留されている水がポンプ装置４１０により流水管４１１を流動される。
【００４６】
このとき、流水管４１１の流水が冷水生成機構４００により冷却される。この冷水が流水管４１１から中央配管ユニット１００の一対の中央給水部材１２０の一方に供給される。
【００４７】
すると、この冷水は中央給水部材１２０から複数の右側熱輻射管２１０および複数の左側熱輻射管３１０を順番に流動し、他方の中央給水部材１２０から流水管４１１に回収される。このように複数の右側熱輻射管２１０および複数の左側熱輻射管３１０を冷水が流動することにより、その輻射により室内が冷房される。
【００４８】
また、上述のように冷水が流動される右側熱輻射管２１０および左側熱輻射管３１０の表面には水滴が結露して落下することがある。しかし、その水滴は右側ドレン部材２２０および左側ドレン部材３２０に落下する。
【００４９】
この右側ドレン部材２２０および左側ドレン部材３２０に落下した水滴は、中央配管ユニット１００の中央排水部材１３０に回収され、例えば、排水管１３１から排水ポンプより吸引されて排水される。
【００５０】
さらに、本実施の形態の天井輻射システム１０００では、システム全体が左右対称に形成されており、その中央に中央給水部材１２０と中央排水部材１３０とを集中させている。このため、その配管などを単純とすることができ、その施工が容易である。
【００５１】
しかも、中央配管ユニット１００と右側輻射ユニット２００と左側輻射ユニット３００とが別個にユニット化されている。このため、施工の現場では、例えば、天井面下に中央配管ユニット１００と右側輻射ユニット２００と左側輻射ユニット３００とを順番に設置してから連結すればよく、その作業が容易である。
【００５２】
さらに、図２等に示すように、右側輻射ユニット２００と左側輻射ユニット３００とを同一構造の共通部品とすることができるので、システム全体の生産性を向上させることができる。
【００５３】
さらに、傾斜状態に配置される熱輻射管２１０，３１０とドレン部材２２０，３２０とが左右に分離されているので、その各々の全長を従来の略半分とすることができる。このため、熱輻射管２１０，３１０とドレン部材２２０，３２０との自重による湾曲などを簡単に防止することができ、中央カバー部材１１０も従来の半分ほどしか下方に位置させる必要がない。
【００５４】
さらに、本実施の形態の天井輻射システム１０００は、室内に配置される除湿器４３０も有するので、結露による加湿が問題となることもない。特に、右側熱輻射管２１０および左側熱輻射管３１０に供給される冷水を生成する冷水生成機構４００は、そのヒートポンプ４０２の冷却管４０３が室内の除湿器４３０にも配管されている。このため、１個のヒートポンプ４０２により、冷水の生成と室内の除湿との両方を実行することができる。
【００５５】
さらに、本実施の形態の天井輻射システム１０００では、複数の右側熱輻射管２１０および複数の左側熱輻射管３１０が室内の天井面の近傍に配置されているとともに、除湿器４３０が室内の床面の近傍に配置されている。
【００５６】
このため、右側熱輻射管２１０および左側熱輻射管３１０の結露による湿度が天井面の近傍から床面の近傍まで降下して除湿器４３０により除湿されることになり、冷房と除湿とを良好な効率で同時に実行することができる。
【００５７】
なお、本発明者が実際に上述のような天井輻射システム１０００を試作して冷房機能を実験した。すると、外気が非常に高温な状態でも室内を適切な温度に冷房することができ、外気温度が上下しても室内温度を略一定に維持できることが確認できた。
【００５８】
なお、本発明は本実施の形態に限定されるものではなく、その要旨を逸脱しない範囲で各種の変形を許容する。例えば、上記形態では説明を簡単とするため、右側熱輻射管２１０および左側熱輻射管３１０を単純な円管として例示した。
【００５９】
しかし、このような熱輻射管は放熱性を向上させるために各種形状に形成することができる。例えば、図７に例示する熱輻射管５００は、銅製の円管５１０と、アルミニウム製の放熱部材５２０と、を有する。
【００６０】
放熱部材５２０は、開構造で同一形状の一対の放熱部品５２１，５２２からなる。放熱部材５２０は、円管５１０の外周面に密着する円筒部５２３と、この円筒部５２３の両側部から上方に延長されて上端で接合されている上側放熱部５２４と、やはり円筒部５２３の両側部から下方に延長されて下端で接合されている下側放熱部５２５と、を有する。
【００６１】
この熱輻射管５００では、銅製の円管５１０に冷水が流動され、熱伝導によりアルミニウム製の放熱部材５２０が熱輻射を発生する。放熱部材５２０は、上下方向に細長い断面形状に形成されているので、その両側部で良好に熱輻射を発生することができる。
【００６２】
それでいて、放熱部材５２０は一対の放熱部品５２１，５２２からなるので、円管５１０を鋳込むような必要もない。しかも、その一対の放熱部品５２１，５２２は、同一形状の開構造からなるので、高価な引抜材などを使用する必要もない。
【００６３】
また、上記形態では複数の右側熱輻射管２１０と複数の左側熱輻射管３１０とが、一本の金属管をジクザグに屈曲させたような構造で連続的に連結されていることを例示した。
【００６４】
しかし、図８に示すように、複数の右側熱輻射管６１０と複数の左側熱輻射管７１０とが、その外側の端部で連結管６１１などにより一体に配管されていてもよい。このような場合、中央給水部材８１０は、例えば、複数の右側熱輻射管６１０と複数の左側熱輻射管７１０との半分に冷水を供給するとともに半分から冷水を回収する一対として形成されていてもよい。
【００６５】
さらに、上記形態では右側／左側熱輻射管２１０，３１０と右側／左側ドレン部材２２０，３２０とが一対一の関係に配列されていることを例示した。しかし、右側／左側熱輻射管２１０，３１０と右側／左側ドレン部材２２０，３２０とが一対多や多対一の関係に配列されていてもよい(図示せず)。
【００６６】
また、上記形態では天井輻射システム１０００が右側熱輻射管２１０および左側熱輻射管３１０に冷水を流動させて冷房のみ実行することを例示したが、その右側熱輻射管２１０および左側熱輻射管３１０に温水を流動させて暖房を実行することも可能である。
【００６７】
さらに、上記形態では右側ドレン部材２２０および左側ドレン部材３２０がアルミニウム材のみからなることを例示したが、このような右側ドレン部材２２０および左側ドレン部材３２０の下面に珪藻土を塗布しておくことも可能である。
【００６８】
この場合、環境ホルモンなどを珪藻土により吸着することが可能であり、デッドスペースとなる右側ドレン部材２２０および左側ドレン部材３２０の下面を有効利用することができる。さらに、熱伝導率が良好な右側ドレン部材２２０および左側ドレン部材３２０の下面を珪藻土により断熱することができるので、右側ドレン部材２２０および左側ドレン部材３２０の下面に水滴が結露することも防止できる。
【００６９】
また、上記形態では複数の右側熱輻射管２１０および複数の左側熱輻射管３１０に常時均一に冷水を流動させることを例示した。しかし、ポンプ装置４１０との出力を制御して右側熱輻射管２１０および左側熱輻射管３１０に流動させる冷水の流速を制御してもよい。この場合、簡単な構造で確実かつ迅速に冷房強度を適切に調節することができる。
【００７０】
さらに、上記形態では一個の中央配管ユニット１００に一個の右側輻射ユニット２００と一個の左側輻射ユニット３００とを連結して天井輻射システム１０００を形成することを例示した。
【００７１】
しかし、複数の中央配管ユニット１００を長手方向に順次連結し、その各々に右側輻射ユニット２００と左側輻射ユニット３００とを連結して天井輻射システムを形成してもよい(図示せず)。
【００７２】
この場合、簡単な配管構造で長大な天井面に対応するようなことができる。当然ながら、上述の長大な天井輻射システムを、その長手方向と直交する方向に配列することにより、大面積の天井に対応することもできる(図示せず)。
【００７３】
また、上記形態では右側／左側ドレン部材２２０，３２０や中央排水部材１３０が上面開口の樋状に形成されていることのみ例示した。しかし、これでは右側／左側ドレン部材２２０，３２０や中央排水部材１３０の底部に滞積する塵芥が問題となる可能性がある。
【００７４】
そこで、右側／左側ドレン部材２２０，３２０や中央排水部材１３０の内部にスクリュー機構などで清掃部材をスライド移動させる清掃機構(図示せず)などを搭載することにより、右側／左側ドレン部材２２０，３２０や中央排水部材１３０の底部に滞積する塵芥を排除してもよい。
【図面の簡単な説明】
【００７５】
【図１】本発明の実施の形態の天井輻射システムの要部構造を示す模式的な縦断正面図である。
【図２】天井輻射システムの要部構造を示す模式的な横断平面図である。
【図３】中央配管ユニットの内部構造を示す模式的な縦断側面図である。
【図４】中央配管ユニットと右側輻射ユニットと左側輻射ユニットとの組立構造を示す模式的な縦断正面図である。
【図５】中央配管ユニットと右側輻射ユニットと左側輻射ユニットとの組立構造を示す模式的な横断平面図である。
【図６】天井輻射システムの配管構造を示す模式図である。
【図７】一の変形例の熱輻射管を示す斜視図である。
【図８】他の変形例の天井輻射システムの要部構造を示す模式的な横断平面図である。
【符号の説明】
【００７６】
１００    中央配管ユニット
１１０    中央カバー部材
１２０    中央給水部材
１３０    中央排水部材
１３１    排水管
１４０    中央支持機構
２００    右側輻射ユニット
２１０    右側熱輻射管
２２０    右側ドレン部材
２３０    右側支持機構
３００    左側輻射ユニット
３１０    左側熱輻射管
３２０    左側ドレン部材
３３０    左側支持機構
４００    冷水生成機構
４０１    熱交換機
４０２    ヒートポンプ
４０３    冷却管
４１０    ポンプ装置
４１１    流水管
４１２    地下タンク
４３０    除湿器
５００    熱輻射管
５１０    円管
５２０    放熱部材
５２１，５２２    放熱部品
５２３    円筒部
５２４    上側放熱部
５２５    下側放熱部
６１０    右側熱輻射管
６１１    連結管
７１０    左側熱輻射管
８１０    中央給水部材
１０００    天井輻射システム
【図１】
2009300051.tif 000003
【図２】
2009300051.tif 000004
【図３】
2009300051.tif 000005
【図４】
2009300051.tif 000006
【図５】
2009300051.tif 000007
【図６】
2009300051.tif 000008
【図７】
2009300051.tif 000009
【図８】
2009300051.tif 000010